(57)【要約】【課題】分電盤架台の移動、搬送、組立て及び設置作業を容易に行うため、分解した状態で現場に搬送し、ネジやボルトによる締結構造をなくして組立作業を容易に行うことができ、しかもその組立て作業を作業員が１人で迅速且つ手軽に行うことができる分電盤架台を提供する。【解決手段】左右一対の長尺パイプからなる支柱の下部に該支柱２ａ、２ｂを上方に起立させる下部支持材６ａ、６ｂ、６ｃが設けられると共に、各支柱の少なくとも上下２箇所の高さにテーパ形状の開口部４を上方に向けてなる受け部材５ａ〜５ｄが設けられ、一対の支柱を左右に離間した状態にして各支柱の受け部材の開口部に少なくとも２本の横架材の各端部に設けられたテーパ形状を有する連結部材７ａ〜７ｄを挿嵌し、各横架材に離間して設けられた上方を向くフック部材８に分電盤９の背面の左右上下に設けられた張出片１０を挿着することによって分電盤を取り付けるようにした。【選択図】図１
2009027771.tif 000002
【特許請求の範囲】
【請求項１】
左右一対の長尺パイプからなる支柱の下部に該支柱を上方に起立させる下部支持材が設けられると共に、
各支柱の少なくとも上下２箇所の高さにテーパ形状の開口部を上方に向けてなる受け部材が設けられ、
一対の支柱を左右に離間した状態にして各支柱の受け部材の開口部に夫々の横架材の両端に設けられたテーパ形状を有する連結部材を挿嵌し、
各横架材に離間して設けられた上方を向くフック部材に分電盤の背面の左右上下に設けられた張出片を係止することによって分電盤を取り付けることを特徴とする分電盤架台。
【請求項２】
分電盤を取り付けるための横架材のほかに補強用横架材を備え、
各支柱の下部付近に設けられたテーパ形状の開口部を上方に向けてなる受け部材に、補強用横架材の両端に設けられたテーパ形状を有する連結部材を挿嵌することを特徴とする請求項１記載の分電盤架台。
【請求項３】
各横架材の連結部材と各支柱の受け部材とに、各連結部材を各受け部材に挿嵌した状態において互いに連通する差込孔を形成すると共に、各差込孔に差込ピンを挿着するようにしたことを特徴とする請求項１又は２記載の分電盤架台。
【請求項４】
左右の支柱の上端開口に挿着する掲示用保持材を備え、各掲示用保持材の側部における上部から下方途中に到るまで掲示板の側辺を挿着保持する挟持片が設けられたことを特徴とする請求項１、２又は３記載の分電盤架台。
【請求項５】
支柱の側部に上方を向くフック部材が固設され、該フック部材に消火器のコ字形金具を係止するようにしたことを特徴とする請求項１、２、３又は４記載の分電盤架台。
【発明の詳細な説明】
【技術分野】
【０００１】
本発明は、仮設工事等に使用する仮設分電盤を工事現場等に設置するための分電盤架台に関する。
【背景技術】
【０００２】
仮設工事等に使用する仮設分電盤を壁掛け方式で設置する場合、設置場所が限定されるため、従来から、自立式架台に取り付ける自立式分電盤架台が開発されている。
【０００３】
ここで、自立式分電盤架台に関する従来例として、特許文献１に記載された「移動式分電盤架台」と称せられるものについて説明すると、その構成は、離間した両側に脚を有し、夫々の脚にブレス止金具を用いて盤取付用ブレス及び本体組立ブレスを横設し固定したものである。
【０００４】
ところで、この分電盤架台においては、両側の脚にブレス止金具を用いて盤取付用ブレス及び本体組立ブレス等の横架材を固定する方法はネジ止めで行うため、横架材を手で保持するための作業と、ネジ締結を行う作業とで、少なくとも２人の作業員が必要になる。さらに、分電盤の取付もまたネジ止め等で固定する構造であるため、面倒なネジ締結作業を必要とする。
【０００５】
また、特許文献２に記載された「分電盤取付架台」は、両側に配設した夫々の底枠に左右一対の支柱を離間して固設すると共に、左右一対の支柱ごとに上部を連結部で固設し、後側の左右の支柱に複数本の横枠を上下に配して固定してなる構成を有する。
【０００６】
ところが、この架台は、各部材を予め溶接等で接合する構造であるため、工場等での組立作業に労力を要し、また完成した架台を現場に搬送する際、搬送容量が大きくなって効率が悪く、また労力を要するという不都合があった。また、この架台においても、分電盤はボルトとナットで固定するものであり、面倒な締結作業を必要とするものであった。
【０００７】
上記のように、従来の分電盤架台は、架台の構成部材を溶接又はネジやボルトで締結する構造であり、分電盤の取付もまたネジやボルトで固定する構造であるため、作業員が１人で手軽に行えるものではなく、組立作業に時間と手間を必要とするものであった。
【特許文献１】実開平１−１４７６０６号公報
【特許文献２】実登録第３００２７９３号公報
【発明の開示】
【発明が解決しようとする課題】
【０００８】
本発明は、上記の事情に鑑みてなされたもので、移動、搬送、組立て及び設置作業を容易に行うため、分解した状態で現場に搬送し、ネジやボルトによる締結構造をなくして組立作業を容易に行うことができ、しかもその組立て作業を作業員が１人で迅速且つ手軽に行うことができる分電盤架台を提供することを目的とする。
【課題を解決するための手段】
【０００９】
上記の目的を達成するために、本発明の請求項１の分電盤架台は、左右一対の長尺パイプからなる支柱の下部に該支柱を上方に起立させる下部支持材が設けられると共に、各支柱の少なくとも上下２箇所の高さにテーパ形状の開口部を上方に向けてなる受け部材が設けられ、一対の支柱を左右に離間した状態にして各支柱の受け部材の開口部に夫々の横架材の両端に設けられたテーパ形状を有する連結部材を挿嵌し、各横架材に離間して設けられた上方を向くフック部材に分電盤の背面の左右上下に設けられた張出片を係止することによって分電盤を取り付けることを特徴とする。
【００１０】
また、本発明の請求項２の分電盤架台は、請求項１において、分電盤を取り付けるための横架材のほかに補強用の横架材を備え、各支柱の下部付近に設けられたテーパ形状の開口部を上方に向けてなる受け部材に、補強用の横架材の両端に設けられたテーパ形状を有する連結部材を挿嵌することを特徴とする。
【００１１】
また、本発明の請求項３の分電盤架台は、請求項１又は２において、各横架材の連結部材と各支柱の受け部材とに、各連結部材を各受け部材に挿嵌した状態において互いに連通する差込孔を形成すると共に、各差込孔に差込ピンを挿着するようにしたことを特徴とする。
【００１２】
また、本発明の請求項４の分電盤架台は、請求項１、２又は３において、左右の支柱の上端開口に挿着する掲示用保持材を備え、各掲示用保持材の側部における上部から下方途中に到るまで掲示板の側辺を挿着保持する挟持片が設けられたことを特徴とする。
【００１３】
さらに、本発明の請求項５の分電盤架台は、請求項１、２、３又は４において、支柱の側部に上方を向くフック部材が固設され、該フック部材に消火器のコ字形金具を係止するようにしたことを特徴とする。
【発明の効果】
【００１４】
以上のように構成された本発明の分電盤架台によれば、一切のネジやボルト等を使用せずに各構成部材を簡単な手作業によって組み立てることが可能である。また、分電盤の取付け作業においても、ネジやボルト等を使用せずに、手作業のみの簡易な作業で取り付けることが可能である。
【００１５】
また、本発明において、一対の支柱の間に少なくとも２本の横架材を結合する構成として、支柱に設けられたテーパ形状の開口を有する受け部材にテーパ形状の外形を有する連結部材を挿嵌する構成であるため、各結合部が堅固に接続され、架台全体としてもガタや揺動の生じない構造となり、一人の作業員でも簡単且つ迅速に組立て作業及び分解作業を行うことが可能となる。
【００１６】
さらに、各横架材の連結部材と各支柱の受け部材とに差込孔を形成し、各連結部材を各受け部材に挿嵌した状態において互いに連通する差込孔に差込ピンを挿着するという簡単な作業によって、各連結部材が各受け部材から抜け出ることがない結合状態に固定することが可能となる。
【００１７】
また、各構成部材に角パイプ等のパイプ材を使用することができるため、安価且つ軽量に構成することが可能であり、運搬や移動作業、さらには組立作業も楽に行うことが可能となる。
【００１８】
また、左右の支柱の上端開口に掲示用保持材を挿着することによって、分電盤架台の上方に掲示板を取付ける構成とすることができ、安全対策の面でも有益となる。
【００１９】
さらに、支柱の側部に上方を向くフック部材が固設して消火器のコ字形金具を係止する構成とすることによって、分電盤の近くに消火器を常備した構成とすることが可能となる。
【発明を実施するための最良の形態】
【００２０】
以下、本発明の実施例について図面を参照しながら説明する。
【実施例１】
【００２１】
本発明による分電盤架台１は、図１（ａ）、（ｂ）に示すように、左右一対の長尺パイプからなる支柱２ａ、２ｂの下部に該支柱を上方に起立させる下部支持材３ａ、３ｂが設けられると共に、各支柱２ａ、２ｂの少なくとも上下２箇所の高さにテーパ形状の開口部４（図２（ａ）、図７（ａ）、(ｄ)参照））を上方に向けてなる受け部材（本実施例においては各支柱に４個の受け部材５ａ〜５ｄ）が設けられ、一対の支柱２ａ、２ｂを左右に離間した状態にして各支柱２ａ、２ｂの受け部材５ａ〜５ｄの開口部４に少なくとも２本の横架材（本実施例においては３本の横架材６ａ、６ｂ、６ｃ）の各端部に設けられたテーパ形状を有する連結部材７ａ、７ｂを挿嵌し、各横架材６ａ、６ｂ、６ｃに離間して設けられた上方を向くフック部材８、８…に分電盤９の背面の左右上下に設けられた張出片１０、１０…を係止することによって分電盤９を取り付けるようにした構成を有する。
【００２２】
上記構成の分電盤架台１について詳細に説明する。図１（ａ）、（ｂ）は、組み立て後の分電盤架台１に分電盤９を取り付けた状態を示すものであり、図２（ａ）は分電盤架台１を各構成部材に分解した正面図、図２(ｂ)は分電盤架台１の側面図である。本実施例の分電盤架台１は、図２(ａ)に示すように分解した状態で現場に搬送し、組み立てることができる。
【００２３】
分電盤架台１の構成部材は、図２（ａ）に示すように、左右に配される一対の支柱２ａ、２ｂと、３本の横架材６ａ、６ｂ、６ｃから成り、さらにこの分電盤架台１の構成に加えて、分電盤架台１の上部に取り付けられる掲示板２０と掲示用保持材１１ａ、１１ｂとを有する。
【００２４】
これらの構成において、本実施例の支柱２ａ、２ｂ、横架材６ａ、６ｂ、６ｃ、掲示用保持材１１ａ、１１ｂは、図７、図８、図９の各図に示すように断面四角形の金属製パイプを使用してあるが、パイプ材の断面形状は四角形状に限定されるものではない。また、本実施例に使用する支柱２ａ、２ｂ、横架材６ａ、６ｂ、６ｃ、掲示用保持材１１ａ、１１ｂ等の部材は、表面に溶融亜鉛メッキを施してある。
【００２５】
図２（ａ）に示すように、左右の支柱２ａ、２ｂは略同様の構成からなり、パイプ材（例えば、40mm×40mm角パイプ）を切断して所定長さ（例えば、約1150mm）の長尺パイプを形成し、これを各支柱２ａ、２ｂに使用する。このように作成された各支柱２ａ、２ｂは、切断箇所の切口が四角形状の開口形状（例えば、支柱の上部開口１２）を有することとなる。
【００２６】
次いで、図２（ａ）、（ｂ）に示すように、上記の支柱２ａ、２ｂの一端をパイプ材（例えば、40mm×40mm角パイプで長さ約500mm）からなる下部支持材３ａ、３ｂの略中央の側面に溶接する。この場合、下部支持材３ａ、３ｂの中央側部に支柱２ａ、２ｂの一端を例えば５mm程度ずらして溶接すると、図１０(ａ)に示すように、支柱２ａ、２ｂの下部開口１３の一部が露出し、この露出した開口部１３を水抜きとして使用することが可能となる。従って、本実施例の構成材料を溶融亜鉛メッキ等によって被覆する場合、通常の場合は円形穴の水抜きをドリル等で形成する必要があるが、本実施例においては水抜きのための穿孔加工が不要となる。
【００２７】
また、本実施例において、図１（ｂ）、図２（ｂ）に示すように、支柱２ａ、２ｂの下端部は各下部支持材３ａ、３ｂの中心から後方へずらした位置に溶接等で結合され、図１（ｂ）に示すように分電盤架台１の前側に分電盤９を取り付けた場合の重量バランスを取ることができ、分電盤９を取り付けた場合でも転倒し難い構成とされている。また、支柱２ａ、２ｂの下端部と各下部支持材３ａ、３ｂとの接合部の前後に補強材として斜め材１４、１４が溶接等で接合されている。さらに、夫々の下部支持材３ａ、３ｂの前後端付近の下部に短尺の敷設部材１５、１５を接合することにより、安定した状態で支柱２ａ、２ｂを垂直上方へ立設することができる構造とされている。なお、夫々の下部支持材３ａ、３ｂの前後端付近の下部にキャスター（不図示）を設けることによって分電盤架台を容易に移動可能としてもよい。
【００２８】
さらに、図２(ａ)に示すように、上記の支柱２ａ、２ｂには、各支柱について上下方向に所定間隔をあけて全部で４箇所に受け部材５ａ〜５ｄが設けられている。夫々の受け部材５ａ〜５ｄはいずれも共通の部材を使用することができる。各受け部材５ａ〜５ｄは、図７〜図９に示すように、四角形の開口部４が窄まってなるテーパ形状を有し、この受け部材５ａ〜５ｄの拡径側の開口部４を上方に向けた状態で支柱２ａ、２ｂの互いに対向する側面に溶接等で固設されている。このような構成によって、図２(ａ)に示すように、両側の支柱２ａ、２ｂに４個ずつの受け部材５ａ〜５ｄが左右に対をなして所定高さに固設された状態となる。
【００２９】
また、図２(ａ)に示すように、本実施例においては、３本の横架材６ａ、６ｂ、６ｃが用意される。各横架材６ａ、６ｂ、６ｃは例えば40mm×40mm角径であって810mm長さの角パイプが使用され、支柱２ａ、２ｂ等と同様に溶融亜鉛メッキが施されている。また、各横架材６ａ、６ｂ、６ｃの両端にはテーパ形状を有する連結部材７ａ、７ｂ、７ｃが溶接等で固設されている。また、各連結部材７ａ、７ｂ、７ｃは、図７（ａ）〜(ｃ)又は図８（ａ）、（ｃ）に示すように、外形が角パイプを下方に窄めたテーパ形状を有し、各連結部材７ａ、７ｂ、７ｃを各支柱２ａ、２ｂの受け部材５ａ〜５ｄの夫々の開口４から挿入して嵌合した状態にすることができる。
【００３０】
上記の構成において、図７(ａ)(ｄ)、図８（ａ）（ｂ）、図９（ａ）〜(ｄ)に示すように、各横架材６ａ〜６ｃの両側の連結部材７ａ〜７ｃと各支柱２ａ、２ｂの受け部材５ａ〜５ｄとには差込孔１６ａ、１６ｂ（連結部材７ａ〜７ｃの差込孔１６ｂ、受け部材５ａ〜５ｄの差込孔１６ａ）が形成されている。これらの差込孔１６ａ、１６ｂは各連結部材７ａ〜７ｃを各受け部材５ａ〜５ｄに挿嵌した状態において互いに連通する位置関係にあり、夫々の差込孔１６ａ、１６ｂには図８(ｄ)に示す差込ピン２３が挿着可能とされている。各差込ピン２３は、図８(ｄ)に示すように、棒状のピンの頭部付近が直角に曲げられ（折曲部２３ｂ）、その曲げられた端部にはピン本体よりもやや大径の係止部２３ａが形成されている。
【００３１】
上記の差込ピン２３を用い、図７(ａ)(ｄ)に示すように各連結部材７ａ〜７ｃを各受け部材５ａ〜５ｄに挿嵌した状態において互いに連通する差込孔１６ａ、１６ｂに、差込ピン２３を先端から挿入すると、図８(ｂ)に示すようにピン２３の折曲部２３ｂが通過して先端が下方に落としこまれ、係止部２３ａが差込孔１６ａの周部に係止された状態となる。また、このピン２３を挿着した状態において、図８（ａ）に示すように差込孔１６ａ、１６ｂから係止部２３が露呈しただけの状態となり、振動が発生しても容易に抜け出すことがなく、各受け部材５ａ〜５ｄに挿嵌された各連結部材７ａ〜７ｃの抜け出しを確実に防止することが可能となる。また、外観的には差込孔１６ａ、１６ｂにピン２３を挿入しているとは分かり難いため、このピン２３が不意に抜かれるような不測の事態を防止することが可能である。
【００３２】
図１(ａ)に示すように、各横架材６ａ、６ｂ、６ｃには、離間位置に、分電盤９の背面の左右上下に固設された張出片１０、１０…を係止するためのフック部材８、８…が溶接等で固設されている。夫々のフック部材８は、図７（ａ）、(ｃ)、(ｄ)、(ｅ)に示すように、上方傾斜方向に形成されたフック形状を有し、分電盤９の各張出片１０、１０…を各フック部材８の隙間に上方から落としこんで係止することにより、分電盤９を取り付けることが可能とされている。
【００３３】
このような構成において、図４（ａ）に示すように、両側の支柱２ａ、２ｂに固設された最下部の両側の受け部材５ｄ、５ｄに最下段の横架材６ｃの両端の連結部材７ｃ、７ｃが挿嵌される。この最下段の横架材６ｃは補強用として機能する。従って、この最下段の横架材６ｃには左右にフック部材を設ける必要がない。
【００３４】
また、両側の支柱２ａ、２ｂに固設された最上部の両側の受け部材５ａ、５ａに最上段の横架材６ａの両端の連結部材７ａ、７ａが挿嵌される。この最上段の横架材６ｃと、その下方に設けられる中段の横架材６ｂとに分電盤９（小型分電盤９Ｓ、大型分電盤９Ｂ）を取り付けることとなる。そのために、本実施例においては、小型分電盤９Ｓ（図４（ａ）参照）を取り付ける場合か、大型分電盤９Ｂ（図４(ｂ)参照）を取り付ける場合かに応じ、最上段の横架材６ａの取付け高さを基準として、中断の横架材６ｂの取付け高さを変えることによって対応するようにしている。
【００３５】
即ち、図４（ａ）に示すように、小型分電盤９Ｓを取り付ける場合は、中断の横架材６ｂの両端の連結部材７ｂ、７ｂを最上から２番目の高さの両側の受け部材５ｂ、５ｂに挿嵌する。また、図４（ｂ）に示すように、大型分電盤９Ｂを取り付ける場合は、中断の横架材６ｂの両端の連結部材７ｂ、７ｂを最上から３番目の高さの両側の受け部材５ｃ、５ｃに挿嵌する。従って、最上から２番目の高さの受け部材５ｂ、５ｂと、最上から３番目の高さの受け部材５ｃ、５ｃとの取付け高さの関係は、分電盤の大きさによって決定される。
【００３６】
次に、本実施例の組立て手順について説明すると、図３（ａ）に示すように、まず一側の支柱（例えば支柱２ｂ）の最下部の受け部材５ｄに最下段の横架材６ｃの一端の連結部材７ｃを挿嵌し、次いで、図３（ｂ）に示すように、最下段の横架材６ｃの他側の連結部材７ｃを他側の支柱２ａの最下段の受け部材５ｄに挿嵌する。このとき、連結部材７ｃと受け部材５ｄとに設けられた差込孔１６ａ、１６ｂに差込ピン２３を挿着する。
【００３７】
このような作業は、図５に示すように、１人の作業員によって行うことができる。具体的に説明すると、１人の作業員が一側の支柱（例えば２ｂ）の最下段の受け部材５ｄに横架材６ｃの一端の連結部材７ｃを挿嵌し、この横架材６ｃを作業員が片手で握ることによって、支柱２ｂは下部支持材３ｂに支持された自立状態を保つことができる。さらに、作業員が他の片手で他側の支柱２ａを立てた状態に握り、横架材６ｃの他の連結部材７ｃをこの支柱２ａの最下段の受け部材５ｄに挿嵌すると、図３（ｂ）に示す状態になって、両側の支柱２ａ、２ｂは両側の下部支持部材によって、手放しの状態で自立した状態を保つことができる。
【００３８】
その後の作業は、作業員が手放しであっても、両側の支柱２ａ、２ｂが自立した状態で作業を行うことができる。次に、図３(ｃ)に示すように、上から２段目（又は３段目）の両側の受け部材５ｂ、５ｂに中断の横架材６ｂの両端の連結部材７ｂ、７ｂを挿嵌する。なお、いずれの受け部材に挿嵌するかについては、上記のように分電盤の大きさによるものである。さらに、図３(ｄ)に示すように、両側の各支柱２ａ、２ｂの最上部の両側の受け部材５ａ、５ａに最上段の横架材６ａの両端の連結部材７ａ、７ａを挿嵌する。また、各連結部材７ａ〜７ｃと各受け部材５ａ〜５ｄの差込孔１６ａ、１６ｂに差込ピン２３を挿着する。
【００３９】
なお、上記の分電盤架台１を分解するには、上記と逆の手順を経ることによって行うことができ、組み立て作業と同様、分解作業もまた１人の作業員によって行うことが可能である。
【００４０】
上記の組立てによって作製された本実施例の分電盤架台１は、例えば、図７（ａ）(ｄ)に示すように、最上段の横架材６ａの一端の連結部材７ａを支柱２ｂの受け部材５ａの開口４から挿嵌したとき、テーパ形状の外形を有する連結部材７ａが受け部材５ａのテーパ形状を有する開口部４内に嵌合されるため、くさび効果を発揮し、ネジやボルト等を使用することなく、堅固に結合した状態となる。このような結合が各接続部について行われるため、分電盤架台１全体としても左右前後にブレたり揺動することがなく、堅固な結合状態で自立状態を保つことが可能となる。さらに、図８（ａ）（ｂ）、図９（ｃ）（ｄ）等に示すように、連結部材７ａ〜７ｃと受け部材５ａ〜５ｄの合致した差込孔１６ａ、１６ｂに差込ピン２３を挿着することにより、連結部材７ａの抜け出しを確実に防止することが可能となる。
【００４１】
上記の構成において、図１に示すように、各横架材６ａ、６ｂ、６ｃには所定間隔をあけて上方を向くフック部材８、８…が溶接等で固設され、夫々のフック部材８、８…に分電盤９の背面の左右上下に固設された張出片１０、１０…が係止されることによって、ネジやボルト等を使用することなく、分電盤９の取り付けが可能となる。
【００４２】
なお、１台の分電盤架台に２個以上の分電盤を並設することができるように、各横架材６ａ、６ｂ、６ｃを長く形成すると共に、上下の横架材６ａ、６ｂに分電盤の数に応じたフック部材８、８…を設けた構成することも可能である。また、上下の横架材６ａ、６ｂ裏表両側にフック部材８、８…を設けることによって、分電盤架台の裏表両側に分電盤を取り付けることができる構成とすることも可能である。
【００４３】
また、図４（ａ）、（ｂ）に示すように、各支柱２ａ、２ｂの上部に掲示用保持材１１ａ、１１ｂが挿着される。この掲示用保持材１１ａ、１１ｂは、本実施例においては角パイプを使用してあり、支柱２ａ、２ｂの上部開口１２の内部に挿着される外径を有する。また、この掲示用保持材１１ａ、１１ｂは図２（ａ）に示すように、掲示用保持材１１ａ、１１ｂよりも短い挟持片２１を該掲示用保持材１１ａ、１１ｂの片面に沿って固設した状態としている。この挟持片２１は、図１０（ｂ）に示すように、合板等の薄板からなる掲示板２０を挿入し得る隙間２１ａを有する一対の長尺片からなり、掲示用保持材１１ａ、１１ｂを上記のように支柱２ａ、２ｂの上部開口１２から挿入したとき、挟持片２１の下端が支柱２ａ、２ｂの上端に当接することによって、図４（ｂ）に示すように、所定の高さを保つことができるものとされている。
【００４４】
そして、このようにして両側の各支柱２ａ、２ｂの上部開口に挿着された両側の掲示用保持材１１ａ、１１ｂの挟持片２１の隙間に上方から掲示板２０を挿入すると、図１１に示すように掲示板２０の下端が最上段の横架材６ａの上面に当接して所定の掲示位置を保つことができる。なお、掲示板２０は、図２（ａ）に示すように、上記のように挿着する際に手で把持しやすいように長尺穴２０ａが形成されている。また、掲示板２０の下端に沿って内方には凹部２０ｂが形成されているため、掲示板２０の下端が最上段の横架材６ａの上面に当接した際、手の指等を挟むという危険を回避することが可能となる。さらに、このように取り付けられた掲示板２０には、図１１（ａ）に示す表示板２２の上部に形成された下向きフック２２ａ（図１１（ｂ）参照）を引掛けることによって取り付けることが可能となる。
【００４５】
なお、図６(ａ)に、上記の分電盤架台１に掲示用保持材１１ａ、１１ｂを設けない状態を示してある。この図に示すとおり、本実施例の分電盤架台１に掲示板２０を取り付けない状態とすることも可能である。また、図６(ａ)に示すように分電盤架台１に掲示板２０を取り付けない状態とし、図６（ｂ）に示すように後付けで掲示板２０を取り付け、両側の支柱２ａ、２ｂの上部開口に掲示用保持材１１ａ、１１ｂを挿入して、掲示板２０を取付けることも可能である。
【００４６】
また、本実施例においては、図９（ａ）に示すように、例えば支柱２ａの側部に上方を向くフック部材１７を固設し、図１(ａ)に示すように、このフック部材１７に消火器のコ字形金具１９を係止することも可能である。
【００４７】
なお、図１３及び図１４は本発明による分電盤架台１の構成形態を概略的に示すものであり、図１３（ａ）〜(ｃ)は１個の支柱２に受け部材５を固設した各種形態を示し、図１４（ａ）〜(ｃ)は分電盤架台１の各種形態の上面の状態を示す。即ち、図１３（ａ）に示すように、支柱２の片側のみに受け部材５を設けた場合は、例えば図１に示すように分電盤架台１の左右一対の支柱２ａ、２ｂを構成することとなり、横架材６に分電盤９は１個取り付けることができる。
【００４８】
また、図１３（ｂ）に示すように、支柱２の左右両側に受け部材５、５を設けた場合、この支柱２を図１４（ａ）に示すように左右２連の分電盤架台を構成するための支柱２ｃとして使用し、その両側に図１３（ａ）に示すものを配することとなる。このような左右２連の分電盤架台１の具体例は図１２に示す通りであり、横架材６、６に分電盤９を並列して２個取り付けることが可能となる。
【００４９】
さらに、図１３（ｃ）に示すように、支柱２の直角２面に受け部材５、５を設けた場合、この支柱２を図１４（ｂ）に示すように平面視においてL字形をなす２連の分電盤架台を構成するための連結用支柱２ｄとして使用することができ、横架材６、６に分電盤９は２個取り付けることができる。さらに、図１４（ｃ）に示すように平面視においてコ字形をなす３連の分電盤架台を構成するための連結用支柱２ｄとして使用することも可能であり、横架材６、６、６に分電盤９を３個取り付けることができる。
【実施例２】
【００５０】
上記の実施例１は、小型分電盤と大型分電盤とを選択的に取付けることができる兼用型の構成としてあるが、本実施例のように小型分電盤又は大型分電盤のうちのいずれかの分電盤に特定して取付けることができるように構成することも可能である。即ち、実施例１の構成においては、両側の各支柱２ａ、２ｂの夫々に４個の受け部材５ａ、５ｂ、５ｃ、５ｄ（合計８個の受け部材）を設けてあるが、本実施例においては、図１５に示すように、両側の各支柱２ａ、２ｂの夫々に３個の受け部材５ａ、５ｂ、５ｃ（合計６個の受け部材）を所定間隔で固設した構成とすることも可能である。
【００５１】
このような構成の場合、最下部の両側の受け部材５ｃ、５ｃに実施例１と同構成の補強用横架材６ｃを用意し、この横架材６ｃの両側に設けられた連結部材７ｃ、７ｃを最下部の両側の受け部材５ｃ、５ｃに挿嵌する。また、両側の各支柱２ａ、２ｂに、最上部の受け部材５ａ、５ａと中部の受け部材５ｂ、５ｂを所定分電盤の大きさに応じた位置に固設し、両側の最上部の受け部材５ａ、５ａに実施例１と同構成の最上段の横架材６ａの両側に設けられた連結部材７ａ、７ａを挿嵌し、また両側の中部の受け部材５ｂ、５ｂに実施例１と同構成の中段の横架材６ｂの両側に設けられた連結部材７ｂ、７ｂを挿嵌することによって固定することとなる。
【００５２】
本実施例におけるその他の構成及び効果は、実施例１と同様であるため説明を省略するが、本実施例特有の作用効果は、所定の大きさの分電盤に特定した分電盤架台を作製することができ、実施例１に比べて両側一対の受け部材が不要となり、製作の短縮化、軽量化、コストの削減等を図ることが可能となる。
【産業上の利用可能性】
【００５３】
本発明の分電盤架台は、移動、搬送、組立て及び設置作業を容易に行うため、分解した状態で現場に搬送し、ネジやボルトによる締結構造をなくして組立作業を容易に行うことができ、しかもその組立て作業を作業員が１人で迅速且つ手軽に行うことができる分電盤架台として利用可能である。
【図面の簡単な説明】
【００５４】
【図１】(ａ)は本発明に係る分電盤架台に分電盤を取り付けた状態を示す正面図であり、(ｂ)はその側面図である。
【図２】(ａ)は本発明に係る分電盤架台の構成部材を分解した状態で示す図であり、 (ｂ)はその側面図である。
【図３】(ａ)〜(ｄ)は本発明に係る分電盤架台の組み立て作業の手順を示す正面図である。
【図４】(ａ)は本発明に係る分電盤架台の上部に掲示板用保持部材を取付ける作業を示す正面図であり、(ｂ)は掲示板を取付ける作業を示す正面図である。
【図５】本発明に係る分電盤架台を１人の作業員が組み立てている状況を示す斜視図である。
【図６】(ａ)は本発明に係る分電盤架台に掲示板を取り付けない状態を示す正面図であり、(ｂ)は後付けで掲示板を取付ける作業を示す正面図である。
【図７】（ａ）は本発明に係る分電盤架台の支柱の受け部材に横架材の連結部材を取り付ける前の状態を示す部分側面図であり、(ｂ)は受け部材を固設した支柱の端面図であり、(ｃ)は受け部材に連結部材を取り付けた後の状態を示す部分上面図であり、(ｄ)は受け部材に連結部材を取り付けた後の状態を示す部分側面図であり、(ｅ)は受け部材に連結部材を取り付けた後の状態を示す部分側面図である。
【図８】（ａ）本発明に係る分電盤架台の支柱の受け部材に連結部材を取り付けた後に差込孔に差込ピンを挿着した状態を示す部分側面図であり、（ｂ）は（ａ）のＢ−Ｂ線矢示断面図であり、(ｃ)は（ａ）のＡ−Ａ線矢示断面図であり、（ｄ）は差込ピンの平面図である。
【図９】（ａ）は本発明に係る分電盤架台の支柱の受け部材に横架材の連結部材を取り付ける前の状態を示す部分図であり、(ｂ)は受け部材を固設した支柱の断面図であり、(ｃ)は横架材の連結部材を取り付けた後の状態を示す部分図であり、（ｄ）は連結部材と受け部材の差込孔に差込ピンを挿着した状態を示す分図である。
【図１０】(ａ)は本発明に係る分電盤架の支柱に下部支持部材を固設した状態を示す側面図であり、 (ｂ)は掲示板用保持部材の挟持片に掲示板を挿着する状況を示す上面図である。
【図１１】(ａ)は本発明に係る分電盤架台の掲示板に取り付けるための表示板の正面図であり、(ｂ)はその側面図であり、(ｃ)は分電盤架台の掲示板に表示板を取り付けている状況を示す正面図である。
【図１２】本発明に係る分電盤架台を左右２連に連結した構成を示す正面図である。
【図１３】（ａ）〜(ｃ)は本発明に係る分電盤架台の１個の支柱に受け部材を固設した各種形態を示す概略上面図である。
【図１４】（ａ）〜(ｃ)は本発明に係る分電盤架台の各種形態の上面の状態を示す概略上面図である。
【図１５】（ａ）は本発明の実施例２に関する分電盤架台の正面図であり、（ｂ）は側面図である。
【符号の説明】
【００５５】
１  分電盤架台
２（２ａ、２ｂ、２ｃ、２ｄ）  支柱
３ａ、３ｂ  下部支持材
４  受け部材の開口部
５（５ａ〜５ｄ）  受け部材
６（６ａ、６ｂ、６ｃ）  横架材
７ａ、７ｂ  連結部材
８  フック部材
９  分電盤
１０  張出片
１１ａ、１１ｂ  掲示用保持材
１２  支柱の上部開口
１３  支柱の下部開口
１４  斜め材
１５  敷設部材
１６ａ  差込孔
１６ｂ  差込孔
１７  フック部材
１８  消火器
１９  コ字形金具
２０  掲示板
２０ａ  長尺穴
２０ｂ  凹部
２１  挟持片
２１ａ  隙間
２２  表示板
２２ａ  下向きフック
２３  差込みピン
２３ａ  係止部
２３ｂ  折曲部
【図１】
2009027771.tif 000003
【図２】
2009027771.tif 000004
【図３】
2009027771.tif 000005
【図４】
2009027771.tif 000006
【図５】
2009027771.tif 000007
【図６】
2009027771.tif 000008
【図７】
2009027771.tif 000009
【図８】
2009027771.tif 000010
【図９】
2009027771.tif 000011
【図１０】
2009027771.tif 000012
【図１１】
2009027771.tif 000013
【図１２】
2009027771.tif 000014
【図１３】
2009027771.tif 000015
【図１４】
2009027771.tif 000016
【図１５】
2009027771.tif 000017